(57)【特許請求の範囲】
【請求項１】
システム制御手段、メモリ、電源スイッチ及び計時手段を備え、前記システム制御手段が、自動的にＮＴＰサーバーに接続し、前記ＮＴＰサーバーから時刻情報を入力し、この情報に基づき前記計時手段の時刻合わせを行う情報携帯端末において、
前記メモリは電源電圧の電圧降下を記録する電源フラグと、アクセス状態を記録するインターネット接続フラグとを備え、
前記システム制御手段は、電源電圧が所定値以下に低下してから正常な値に復帰した後、前記電源スイッチがオンとされた場合に、前記電源フラグ及びインターネット接続フラグを電源の電圧低下に基づいて第一の側に設定し、インターネットに接続された場合に、前記電源フラグ及びインターネット接続フラグが共に前記第一の側に設定されているときにのみ、電源復帰後の最初のインターネット接続時と判定して、前記ＮＴＰサーバーに接続して前記計時手段の時刻合わせを行い、
インターネットアクセス終了時に前記インターネット接続フラグを前記第一の側から第二の側に設定し、前記電源スイッチがオフとされた時に前記電源フラグを前記第一の側から第二の側に設定し、
この後再度、前記電源スイッチがオンとされ、さらに、前記インターネットに接続された場合、前記電源フラグ及びインターネット接続フラグが共に第二の側に設定されている場合は、前記ＮＴＰサーバーへの接続を行わない
ことを特徴とする情報携帯端末。
【発明の詳細な説明】
【０００１】
【発明の属する技術分野】
本発明は、携帯情報端末に関し、特に時計機能を備えた情報携帯端末に関する。
【０００２】
【従来の技術】
携帯パソコンの他、パームトップパソコンやＰＤＡの名称で呼ばれる携帯パソコンよりも小型軽量のパソコン、通信機能を備えた小型軽量のモバイルコンピュータ、電力、ガスの検針等の専用機能を備えた専用端末等の携帯情報端末が知られている。以下では、携帯パソコン及び携帯情報端末を含めて情報携帯端末とよぶ。
【０００３】
このような、情報携帯端末が搭載する種々の機能の一つとして時計機能がある。この時計機能は、内蔵する時計によって現在時刻を表示する時刻表示機能の他に、カレンダー機能、スケジュール管理機能、タイマー機能、接続する周辺機器との同期合わせ機能等の情報携帯端末が提供する種々の機能に適用することができる。
【０００４】
この時計機能では、現在時刻を得るためには常に計時動作を続ける必要がある。そこで、通常、情報携帯端末本体を駆動する電源を兼用して計時動作を行っている。このように、情報携帯端末本体が備える電源によって時計機能の計時動作を行う場合、情報携帯端末本体が備える電源の蓄電容量の減少等によって、電源電圧が低下すると、この電源を兼用している時計機能の計時動作も停止することになる。いったん計時動作が停止すると、時計機能の時刻情報がリセットされるため、以後に電源電圧が復帰した場合において正確な時刻を表示することができないこととなる。このような事態に対して、コイン電池等のバックアップ電池を備えることによって、電源電圧が低下した場合であっても時計機能の計時動作を続行させることができる。
【０００５】
【発明が解決しようとする課題】
しかしながら、情報携帯端末は、小型で軽量であることが求められているため、バックアップ電池を省くことによって小型化、軽量化を図る場合がある。そのため、このようなバックアップ電池を備えない情報携帯端末では、いったん電源電圧が所定の規定電圧以下に低下し計時動作が停止すると、時計機能の時刻情報がリセットされ、以後に電源電圧が正常な電圧に復帰しても正確な時刻情報に基づく時計機能を果たすことができないという問題がある。
【０００６】
そこで、本発明は上記問題を解決し、時計機能の時刻情報がリセットされた場合であっても正確な時刻情報に基づいて時刻合わせを行うことができる情報携帯端末を提供することを目的とする。
【０００７】
【課題を解決するための手段】
請求項１に係る情報携帯端末は、システム制御手段、メモリ、電源スイッチ及び計時手段を備え、システム制御手段が、自動的にＮＴＰサーバーに接続し、前記ＮＴＰサーバーから時刻情報を入力し、この情報に基づき前記計時手段の時刻合わせを行うものであって、前記メモリは電源電圧の電圧降下を記録する電源フラグと、アクセス状態を記録するインターネット接続フラグとを備え、前記システム制御手段は、電源電圧が所定値以下に低下してから正常な値に復帰した後、前記電源スイッチがオンとされた場合に、前記電源フラグ及びインターネット接続フラグを電源の電圧低下に基づいて第一の側に設定し、インターネットに接続された場合に、前記電源フラグ及びインターネット接続フラグが共に前記第一の側に設定されているときにのみ、電源復帰後の最初のインターネット接続時と判定して、前記ＮＴＰサーバーに接続して前記計時手段の時刻合わせを行う。
【０００８】
これによって、電源電圧の降下等によって時計機能の時刻情報がリセットされ、計時手段に計時される時刻に誤りが発生している場合であっても、外部接続機能によって正確な時刻情報を入手することで計時手段を正確な時刻に時刻合わせすることができ、正常な時計機能を果たすことができる。
【０００９】
また、請求項１に係る情報携帯端末は、前記システム制御手段は、インターネットアクセス終了時に前記インターネット接続フラグを前記第一の側から第二の側に設定し、前記電源スイッチがオフとされた時に前記電源フラグを前記第一の側から第二の側に設定する。なお、第一の側への設定はフラグをリセットあるいはセットする動作であり、第一の側から第二の側への設定は、フラグがリセットされている場合にはセットする動作であり、フラグがセットされている場合にはリセット動作である。
【００１０】
時刻合わせは、電源が復帰した後にインターネットに最初に接続したとき、電源フラグ及びインターネット接続フラグが共に第一の側に設定されている状態である場合にのみＮＴＰサーバーに接続し、ＮＴＰサーバーから時刻情報をダウンロードして行う。ＮＴＰサーバーはインターネット上において、常に正確な時刻情報を提供しており、情報携帯端末はこのＮＴＰサーバーに時刻情報を要求することで、ＮＴＰサーバーから正確な時刻情報を入手することができる。情報携帯端末は、この時刻情報を用いて時刻合わせを行うことができる。
【００１１】
電源フラグが第一の側に設定されている状態は、電源電圧が所定の規定電圧以下に低下したことを表し、現在の立ち上がり状態は正常な電源電圧から立ち上げた状態でないことを示し、また、インターネット接続フラグが第一の側に設定されている状態は、立ち上げ後の最初のアクセスであることを示している。また、電源フラグは電源オフ時に戻し、インターネット接続フラグはインターネットアクセス終了時に戻すことで、第一の側の設定状態を解除することができる。
【００１２】
これによって、電源フラグ及びインターネット接続フラグが共に第一の側に設定状態であるときのみＮＴＰサーバーに接続して時刻合わせを行うことで、以後、正常な時刻表示を行うことができる。この後再度、前記電源スイッチがオンとされ、さらに、前記インターネットに接続された場合に、前記電源フラグ及びインターネット接続フラグが共に第二の側に設定されている場合は、前記ＮＴＰサーバーへの接続を行わない。
【００１３】
【００１４】
【００１５】
【００１６】
【００１７】
本発明の情報携帯端末によれば、情報携帯端末を用いてインターネットと接続することによって、自動的にＮＴＰサーバーに接続して時刻情報を入手して時刻合わせを行うことによって、バックアップ電源を設けることなく時刻手段の時刻を正確なものとすることができる。また、バックアップ電源を不要とすることで、情報携帯端末を小型化し軽量化することができ、さらに、廃棄電池の発生を抑制することで環境性を向上させることができる。
【００１８】
【００１９】
【００２０】
【発明の実施の形態】
以下、本発明の実施形態について、図１の本発明の情報携帯端末の構成例を説明するための概略ブロック図、図２，３，４の本発明の情報携帯端末の一形態の動作を説明するためのフローチャート、図５の本発明の情報携帯端末の一形態の動作を説明するための動作関連図を用いて説明する。
【００２１】
図１において、システム制御手段１１は情報携帯端末１の各部の制御処理、及びインターネット接続処理等の各種制御処理を行う制御手段でありＣＰＵで構成することができる。システムメモリ１２は、システム制御手段１１が実行する各種制御処理プログラム、当該処理プログラムを実行する際に要する各種データ、インターネット接続に要するデータを記録する共に、システム制御手段１１が実行するためのワークエリアを構成する。また、パラメータメモリ１３は、ＮＴＰサーバー等のインターネットの接続先アドレスデータ等を記憶する他、電源電圧の電圧降下を記録する電源フラグやアクセス状態を記録するインターネット接続フラグ、あるいは、システムが初期化されたことを記憶する初期レジスタを備え、システムが初期化されたとき、この初期レジスタにフラグをセットする。
【００２２】
計時手段１４は、時計レジスタの値を逐次計時する。このレジスタ値は、必要に応じて表示手段１５に現在時刻を表示したり、情報携帯端末１が備える例えばカレンダー機能やタイマー機能に用いたり、あるいはインターネットを介して各種サーバーとの間で行う同期処理に用いることができる。
【００２３】
表示手段１５は、情報携帯端末１の各種処理の操作や処理結果を表示する手段であり、入力手段１７は、情報携帯端末１の各種処理の操作を入力する手段であって、例えばキーボード、マウスパッド、タッチパネル等の各種入力デバイスとすることができる。
【００２４】
送受信手段１６は、インターネットやＬＡＮ等のネットワークとの間で接続処理を行う手段であり、種々のプロバイダーが管理するサーバー２と接続して各種サービスを受ける他、ＮＴＰサーバー３と接続することによって、時刻情報をダウンロードすることができる。
【００２５】
情報携帯端末１が備える各手段は図示しない電源で駆動され、電源スイッチ１８によって情報携帯端末１の動作のオン、オフが切換えられる。通常、電源スイッチ１８がオフの状態では、電源が十分な電源電圧を有していればシステム制御手段１１には待機電流が流れており、電源スイッチ１８がオン状態となると同時に立ちあがり処理に移れるよう設定されている。また、計時手段１４に対しても常に電流供給が行われ、電源スイッチ１８がオフの状態であっても計時を行い現在時刻を保持している。
【００２６】
電源電圧検出手段１９は電源の電圧状態を監視する手段であり、電源電圧が所定の規定電圧以下に降下した場合には、システム制御手段１１、システムメモリ１２、計時手段１４等に電圧降下を知らせる。電源の電圧が情報携帯端末１の維持が困難なほど低下した場合、システム制御手段１１が備えるＣＰＵやシステムメモリ１２のワークエリア等を構成するＲＡＭは電源フラグやインターネット接続フラグやレジスタのフラグを設定し、また、計時手段１４が備える時刻レジスタをリセットする。一方、電源の電圧が正常電圧に復帰した場合には、システム制御手段１１は初期化処理を行い、計時手段１４は時刻レジスタを初期値にセットする。電源フラグは電源スイッチをオフとしたとき設定を戻し、また、インターネット接続フラグはインターネットアクセス終了時に戻す。
【００２７】
次に、本発明の情報携帯端末の動作について、図２，３，４のフローチャートを用いて説明する。はじめに、図２のフローチャートを用いて電源電圧が低下した場合の動作を説明する。電源電圧検出手段１９は情報携帯端末１に接続された電源の電圧状態を監視し、充電容量が低下したりバッテリーが外される等によって、電源電圧が情報携帯端末１の動作を維持するに必要な所定の規定電圧よりも降下した場合には（ステップＳ１）、各種リセット処理を行う。リセット処理として、例えば、システム制御手段１が備えるＣＰＵやシステムメモリ１２中のＲＡＭ等にフラグをセットする処理や、計時手段１４の時刻レジスタをリセットする処理がある（ステップＳ２）。情報携帯端末、電源電圧が復帰した際このリセット状態を判断することによって初期化処理を進める。
【００２８】
次に、図３のフローチャートを用いて電源電圧が復帰した場合の一動作例を説明する。情報携帯端末１に電源が接続されていない場合、あるいは電源電圧が規定電圧以下である場合には（ステップＳ１１）、バッテリーを接続したり、電源の充電容量が十分な電圧まで回復させることによって電源電圧を復帰させて情報携帯端末１が動作可能な状態とする（ステップＳ１２）。電源電圧が正常な状態において、電源スイッチがオフ状態の場合には、ＣＰＵや計時手段に待機電流を流すスタンバイモードとする（ステップＳ１３）。スタンバイモードにおいて、電源スイッチをオン状態とすると、システム制御手段１１は初期化処理を行い（ステップＳ１５）、以後通常モードとし動作指令に応じた処理を行う（ステップＳ１６）。
【００２９】
また、情報携帯端末１に電源が接続されている場合であって（ステップＳ１１）、システム制御手段１が備えるＣＰＵやシステムメモリ１２中のＲＡＭ等にフラグから電源電圧が低下した状態にあったと判定された場合においても（ステップＳ１４）、電源スイッチをオン状態とした後、システム制御手段１１によって初期化処理を行う（ステップＳ１５）。初期化処理において、電源フラグ及びインターネット接続フラグを例えば０にリセットする（ステップＳ１７，１８）。
【００３０】
この後、インターネットの接続処理が行われると（ステップＳ１９）、インターネットの目的とする接続先に接続すると共に（ステップＳ２０）、電源フラグ及びインターネット接続フラグを検出する（ステップＳ２１）。両フラグが共に０にリセットされているか否かを判定する。電源フラグがリセット状態であることは情報携帯端末が通常でない立ち上がりをしたことを示し、また、インターネット接続フラグがリセット状態であることは電源復帰後のインターネット接続の最初のアクセスであることを示している（ステップＳ２２）。
【００３１】
両フラグが共に０にリセットされている場合には（ステップＳ２２）、システムメモリ１２からＮＴＰサーバーのアドレスを呼び出し、ＮＴＰサーバー３に接続し（ステップＳ２３）、ＮＴＰサーバー３に時刻情報を要求し、ＮＴＰサーバー３から時刻情報をダウンロードする（ステップＳ２４）。時刻レジスタでは、ダウンロードした時刻情報を設定する。これによって、時刻レジスタには正確な時刻情報が設定されることになる（ステップＳ２５）。ステップＳ２５の工程によって、時刻レジスタには正確な時刻情報が設定され、時刻合わせが完了する。なお、上記例では、ステップＳ２０で目的とするサーバーに接続した後、ＮＴＰサーバーに接続する動作例を示しているが、ＮＴＰサーバーに接続して時刻情報をダウンロードした後に、目的とするサーバーに接続することもできる。
【００３２】
インターネット上で所望の操作を行った後、インターネットを切断する場合には（ステップＳ２６）、インターネットの切断処理を行った後（ステップＳ２７）、インターネット接続フラグを０から１にセットする（ステップＳ２８）。また、情報携帯端末において所望の動作を行った後、電源をオフとする場合には（ステップＳ２９）、電源スイッチをオフとした後（ステップＳ３０）、電源フラグを０から１にセットする（ステップＳ３１）。電源スイッチをオフ状態とすることで、情報携帯端末は通常モードからスタンバイモードに切り換える（ステップＳ３２）。
【００３３】
この後、再度電源をオンとする場合には（ステップＳ３３）、電源スイッチをオンとして（ステップＳ３４）通常モードとする（ステップＳ３５）。インターネットの接続処理が行われると（ステップＳ３６）、インターネットの目的とする接続先に接続すると共に（ステップＳ３７）、電源フラグ及びインターネット接続フラグを検出する（ステップＳ３８）。両フラグが共に０にリセットされているか否かを判定する。ここでは、既にステップＳ２８及びステップＳ３１でフラグは１にセットされているため、ＮＴＰサーバーへの接続は行わない。インターネット上で所望の操作を行った後、インターネットを切断し（ステップＳ３９，４０）、電源スイッチをオフとする（ステップＳ４１，４２）。
【００３４】
図５に示す動作関連図は、上記した動作例において、電源、ＣＰＵ、電源フラグ、インターネットフラグ、インターネット、時刻レジスタの各処理の動作時間の関係を示している。この動作関連図では、電源が未接続である状態を初期状態としている（図５中のＡ）。電源が未接続の状態あるいは電源電圧が所定の規定電圧以下の場合、ＣＰＵにはフラグがセットされ（図５中のａ）、時刻レジスタはリセットされる（図５中のｂ）。この状態から電源が接続されると（図５中のＢ）、ＣＰＵは初期化されてスタンバイモードとなり、待機電流を流す動作待ちの状態となる（図５中のｃ）。
【００３５】
この後、電源スイッチがオンされると（図５中のＣ）、ＣＰＵは初期化処理を行った後（図５中のｄ）通常モードとなる。また、初期化処理と共に、電源フラグとインターネット接続フラグを０にリセットする（図５中のｆ，ｇ）。インターネットの接続処理が行われると（図５中のｈ）、ＣＰＵは電源フラグとインターネット接続フラグのフラグを検出し、共に０にリセットされているときにのみ（図５中のｉ）、ＮＴＰサーバーに接続して時刻情報をダウンロードし（図５中のｊ）、ダウンロードした時刻情報を時刻レジスタにセットする（図５中のｋ）。
【００３６】
インターネットの接続を切断するとき（図５中のｌ）、インターネット接続フラグを１にセットする（図５中のｍ）。また、電源スイッチをオフとするとき（図５中のＤ）、スタンバイモードに切り換えると共に（図５中のｏ）、電源フラグを１にセットする（図５中のｐ）。再度、電源スイッチをオンとするとき（図５中のＥ）、スタンバイモードを通常モードに切り換える（図５中のｑ）。この状態でインターネットの接続が行われると（図５中のｒ）、ＣＰＵは電源フラグとインターネット接続フラグのフラグを検出する。このとき、各フラグは１にセットされているため、ＮＴＰサーバーへの接続は行わない（図５中のｓ）。
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
なお、本発明の情報携帯端末は、携帯パソコン、パームトップパソコンやＰＤＡの名称で呼ばれる携帯パソコンよりも小型軽量のパソコン、通信機能を備えた小型軽量のモバイルコンピュータ、電力、ガスの検針等の専用機能を備えた専用端末等の携帯情報端末を含むものである。
【００５２】
【発明の効果】
本発明の情報携帯端末によれば、時計機能の時刻情報がリセットされた場合であっても正確な時刻情報に基づいて時刻合わせを行うことができる。請求項１に記載の構成によれば、インターネットに接続する操作を行うことによって、自動的にＮＴＰサーバーに接続して時刻情報を入手し時刻合わせを行うことができる。また、電源をオンすることによって、自動的にＮＴＰサーバーに接続して時刻情報を入手し時刻合わせを行うことができる。
【図面の簡単な説明】
【図１】  本発明の情報携帯端末の構成例を説明するための概略ブロック図である。
【図２】  本発明の情報携帯端末の動作を説明するためのフローチャートである。
【図３】  本発明の情報携帯端末の動作を説明するためのフローチャートである。
【図４】  本発明の情報携帯端末の動作を説明するためのフローチャートである。
【図５】  本発明の情報携帯端末の動作を説明するための動作関連図である。
【符号の説明】
１  情報携帯端末
２  プロバイダー
３  ＮＴＰサーバー
１１  システム制御手段
１２  システムメモリ
１３  パラメータメモリ
１４  計時手段
１５  表示手段
１６  送受信手段
１７  入力手段
１８  電源スイッチ
１９  電源電圧検出手段
【図１】
0004037069.tif 000002
【図２】
0004037069.tif 000003
【図３】
0004037069.tif 000004
【図４】
0004037069.tif 000005
【図５】
0004037069.tif 000006